(57)【要約】【課題】  映像を表示する装置の自由度の高い映像配信システムを提供する。【解決手段】  映像配信システムは、ネットワーク９を介して映像を配信する。映像配信端末１は、配信先からの要求で変更が可能な配信先リストに配信先を登録している。映像表示装置２は、ネットワーク９を介して映像配信端末１に対して配信先リストへの自身の登録を要求する。映像配信端末１は、配信先リストに登録されている配信先にネットワーク９を介して入力映像のデータを配信する。映像表示装置２は、その映像配信端末１からデータを受信して映像を表示する。【選択図】      図１
2007036965.tif 000002
【特許請求の範囲】
【請求項１】
ネットワークを介して映像を配信する映像配信システムであって、
配信先からの要求により変更が可能な配信先リストに登録された配信先に前記ネットワークを介して入力映像のデータを配信する映像配信端末と、
前記ネットワークを介して前記映像配信端末に対して前記配信先リストへの自身の登録を要求し、該映像配信端末からデータを受信して映像を表示する映像表示装置とを有する映像配信システム。
【請求項２】
前記映像表示装置は、前記ネットワーク上に存在する映像配信端末を検出し、検出された前記映像配信端末の中から、配信先リストへの自身の登録を要求する映像配信端末を決定する、請求項１記載の映像配信システム。
【請求項３】
前記映像表示装置は、検出された前記映像配信端末の情報を操作者に提示し、該操作者の選択に従って、配信先リストへの自身の登録を要求する映像配信端末を決定する、請求項２記載の映像配信システム。
【請求項４】
前記映像表示装置は、検出された前記映像配信端末を前記操作者に提示するとともに該操作者にパスワードの入力を促し、配信先リストへの自身の登録を要求する映像配信端末に、該操作者によって入力されたパスワードを通知し、
前記映像配信端末は、前記映像表示装置から配信先リストへの登録の要求があると、該映像表示装置から通知された前記パスワードと予め保持していたパスワードとを照合し、一致したときのみ該映像表示装置を前記配信先リストに登録する、請求項３記載の映像配信システム。
【請求項５】
前記映像配信端末が差分抽出した映像のデータを送信可能であり、前記映像表示部が差分抽出された前記データを展開して表示可能であり、
前記映像配信端末は、前記配信先リストに新たな映像表示装置を登録するとき、前記差分抽出を行っていないデータを送信する、請求項１〜４のいずれか１項に記載の映像配信システム。
【請求項６】
前記映像表示装置は、前記映像配信端末から前記データの配信を受けて映像を表示している状態から、該映像配信端末に前記配信先リストからの自身の削除を要求し、
前記映像配信端末は、前記配信先リストに登録されている映像表示装置から削除の要求を受けると、該映像表示装置を前記配信先リストから削除する、請求項１〜５のいずれか１項に記載の映像配信システム。
【請求項７】
前記映像表示装置は、操作者の指示に従って、前記映像配信端末に前記配信先リストからの自身の削除を要求する、請求項６記載の映像配信システム。
【請求項８】
映像配信端末からネットワークを介して配信された映像を表示する映像表示装置であって、
前記映像配信端末からの映像のデータを受信する映像受信部と、
前記映像受信部で受信されたデータに基づき映像を表示する映像出力部と、
前記映像配信端末に対して、該映像配信端末の配信先リストへの自身の登録を要求する配信元管理部とを有する映像表示装置。
【請求項９】
前記ネットワーク上に存在する映像配信端末を検出する配信元検出部を更に有し、
前記配信元管理部は、前記配信元検出部で検出された前記映像配信端末に、配信先リストへの自身の登録を要求する、請求項８記載の映像表示装置。
【請求項１０】
前記配信元検出部で検出された前記映像配信端末の情報を操作者に提示し、該操作者の選択に従って、配信先リストへの自身の登録を要求する映像配信端末を決定し、決定した該映像配信端末を前記配信元管理部に通知するユーザインタフェース部を更に有する、請求項９記載の映像表示装置。
【請求項１１】
前記ユーザインタフェース部は、前記配信元検出部で検出された前記映像配信端末を前記操作者に提示するとともに該操作者にパスワードの入力を促し、該操作者によって入力されたパスワードを前記配信元管理部に通知し、
前記配信元管理部は、配信先リストへの自身の登録を要求する前記映像配信端末に該パスワードを通知する、請求項１０記載の映像表示装置。
【請求項１２】
前記配信元管理部は、前記映像配信端末から前記データの配信を受けて映像を表示している状態から、該映像配信端末に前記配信先リストからの自身の削除を要求する、請求項８〜１１のいずれか１項に記載の映像表示装置。
【請求項１３】
前記ユーザインタフェース部は、操作者の指示に従って、前記映像配信端末に前記配信先リストからの自身の削除を要求するように前記配信元管理部に指示する、請求項１２記載の映像表示装置。
【請求項１４】
ネットワークを介して映像表示装置に映像を配信する映像配信端末であって、
前記映像表示装置からの要求で変更が可能な配信先リストを管理する配信先管理部と、
前記配信先管理部の前記配信先リストに登録されている映像表示装置に対して映像を配信する映像配信部とを有する映像配信端末。
【請求項１５】
前記配信先管理部は、前記映像表示装置から配信先リストへの登録の要求があると、該映像表示装置から通知されたパスワードと予め保持していたパスワードとを照合し、一致したときのみ該映像表示装置を前記配信先リストに登録する、請求項１４記載の映像配信端末。
【請求項１６】
前記映像表示装置に送信するデータの差分抽出する差分抽出部と、
入力映像を前記差分抽出部に与える映像入力部とを更に有し、
前記映像配信部は、前記配信先リストに新たな映像表示装置が登録されたとき、前記映像入力部に前記差分抽出部による差分抽出をしないように指示する、請求項１４または１５に記載の映像配信端末。
【請求項１７】
前記配信先管理部は、前記配信先リストに登録されている映像表示装置から削除の要求を受けると、該映像表示装置を前記配信先リストから削除する、請求項１４〜１６のいずれか１項に記載の映像配信端末。
【請求項１８】
映像配信端末から映像表示装置に映像を配信するための映像配信方法であって、
前記映像表示装置から前記映像配信端末に対して配信先リストへの自身の登録を要求するステップと、
前記映像表示装置からの要求を受けた前記映像配信端末が前記配信先リストに該映像表示装置を登録するステップと、
前記映像配信端末から、前記配信先リストに登録されている前記映像表示装置に入力映像のデータを配信するステップと、
前記映像配信端末から前記データを受けた前記映像表示装置が該データに基づく映像を表示するステップとを有する映像配信方法。
【請求項１９】
前記映像表示装置が、前記ネットワーク上に存在する映像配信端末を検出するステップと、
検出された前記映像配信端末の中から、配信先リストへの自身の登録を要求する映像配信端末を決定するステップとをさらに有する、請求項１８記載の映像配信方法。
【請求項２０】
前記映像表示装置は、検出された前記映像配信端末の情報を操作者に提示し、該操作者の選択に従って、配信先リストへの自身の登録を要求する映像配信端末を決定する、請求項１９記載の映像配信方法。
【請求項２１】
前記映像表示装置は、検出された前記映像配信端末を前記操作者に提示するとともに該操作者にパスワードの入力を促し、配信先リストへの自身の登録を要求する映像配信端末に、該操作者によって入力されたパスワードを通知し、
前記映像配信端末は、前記映像表示装置から配信先リストへの登録の要求があると、該映像表示装置から通知された前記パスワードと予め保持していたパスワードとを照合し、一致したときのみ該映像表示装置を前記配信先リストに登録する、請求項２０記載の映像配信方法。
【請求項２２】
前記映像配信端末が差分抽出した映像のデータを送信可能であり、前記映像表示部が差分抽出された前記データを展開して表示可能であり、
前記映像配信端末は、前記配信先リストに新たな映像表示装置を登録するとき、前記差分抽出を行っていないデータを送信する、請求項１８〜２１のいずれか１項に記載の映像配信方法。
【請求項２３】
前記映像表示装置が、前記映像配信端末から前記データの配信を受けて映像を表示している状態から、該映像配信端末に前記配信先リストからの自身の削除を要求するステップと、
前記映像配信端末が、前記配信先リストに登録されている映像表示装置から削除の要求を受けると、該映像表示装置を前記配信先リストから削除するステップとをさらに有する、請求項１８〜２２のいずれか１項に記載の映像配信方法。
【請求項２４】
前記映像表示装置は、操作者の指示に従って、前記映像配信端末に前記配信先リストからの自身の削除を要求する、請求項２３記載の映像配信方法。
【発明の詳細な説明】
【技術分野】
【０００１】
本発明は、映像配信端末から映像表示装置に映像を配信する映像配信システムに関する。
【背景技術】
【０００２】
プレゼンテーションや会議は映像を表示しながら行うことにより効率が上がる。そのため、従来、カメラで撮影された映像をパーソナルコンピュータなどの映像配信端末からプロジェクタなどの映像表示装置に配信する映像配信システムが提案され（例えば、特許文献１参照）、また実際に用いられている。
【特許文献１】特開２００３−１２９９０５９号公報
【発明の開示】
【発明が解決しようとする課題】
【０００３】
従来の映像配信システムでは、映像の配信先となる映像表示装置は、映像配信端末から選択するものであり、映像表示装置は受動的な立場にあった。そして、映像表示装置の選択はパーソナルコンンピュータなどの映像配信端末を操作して行われる。そのため、プロジェクタの追加や削除などを行うにはプレゼンテーションを中断する必要があり、不便であった。
【０００４】
例えば、プレゼンテーションの途中でプロジェクタにトラブルが発生した場合など、映像表示装置の交換が必要になると、プレゼンテーションを中断して映像配信端末を操作し、映像表示装置の削除および追加を行う必要があった。
【０００５】
本発明の目的は、映像を表示する装置の自由度の高い映像配信システムを提供することである。
【課題を解決するための手段】
【０００６】
上記目的を達成するために、本発明の映像配信システムは、
ネットワークを介して映像を配信する映像配信システムであって、
配信先からの要求で変更が可能な配信先リストに登録された配信先にネットワークを介して入力映像のデータを配信する映像配信端末と、
ネットワークを介して映像配信端末に対して配信先リストへの自身の登録を要求し、その映像配信端末からデータを受信して映像を表示する映像表示装置とを有している。
【０００７】
したがって、本発明によれば、映像表示装置からの要求により映像配信に参加することができるので、映像表示装置からプレゼンテーションや映像表示を妨げることなく能動的に参加することができ、映像表示の自由度が向上する。
【０００８】
また、映像表示装置は、ネットワーク上に存在する映像配信端末を検出し、検出された映像配信端末の中から、配信先リストへの自身の登録を要求する映像配信端末を決定することとしてもよい。
【０００９】
これによれば、映像表示装置がネットワーク上に存在する映像配信端末を検出し、その中から映像の配信を受ける映像配信端末を決定するので、映像表示装置の操作者は容易に映像配信端末を決定することができる。
【００１０】
また、映像表示装置は、検出された映像配信端末の情報を操作者に提示し、その操作者の選択に従って、配信先リストへの自身の登録を要求する映像配信端末を決定することとしてもよい。
【００１１】
これによれば、映像表示装置がネットワーク上に存在する映像配信端末を操作者に提示するので、操作者はさらに容易に映像配信端末を決定することができる。
【００１２】
また、映像表示装置は、検出された映像配信端末を操作者に提示するとともにその操作者にパスワードの入力を促し、配信先リストへの自身の登録を要求する映像配信端末に、その操作者によって入力されたパスワードを通知し、
映像配信端末は、映像表示装置から配信先リストへの登録の要求があると、その映像表示装置から通知されたパスワードと予め保持していたパスワードとを照合し、一致したときのみその映像表示装置を配信先リストに登録することとしてもよい。
【００１３】
これによれば、映像表示装置にて操作者にパスワードを入力させ、映像配信端末にてそのパスワードの照合を行い、一致した場合のみその映像表示装置にデータを配信するので、第三者が映像表示装置を操作して映像配信端末からの映像を不正に表示させるのを防止することができる。
【００１４】
また、映像配信端末が差分抽出した映像のデータを送信可能であり、映像表示部が差分抽出されたデータを展開して表示可能であり、
映像配信端末は、配信先リストに新たな映像表示装置を登録するとき、差分抽出を行っていないデータを送信することとしてもよい。
【００１５】
これによれば、映像表示装置からの参加要求により配信先を追加するとき、映像配信端末は、差分抽出を行っていないデータを配信するので、新たに参加した映像表示装置も元から映像配信を受けていた映像表示装置と同様にフルサイズの映像を表示することができる。
【００１６】
また、映像表示装置は、映像配信端末からデータの配信を受けて映像を表示している状態から、その映像配信端末に配信先リストからの自身の削除を要求し、
映像配信端末は、配信先リストに登録されている映像表示装置から削除の要求を受けると、その映像表示装置を配信先リストから削除することとしてもよい。
【００１７】
また、映像表示装置は、操作者の指示に従って、映像配信端末に配信先リストからの自身の削除を要求することとしてもよい。
【００１８】
これによれば、映像表示装置からの要求により映像配信から離脱することができるので、映像表示装置側からプレゼンテーションや映像表示を妨げることなく能動的に離脱ができ、映像表示の自由度が向上する。
【発明の効果】
【００１９】
本発明によれば、映像表示装置からの要求により映像配信に参加することができるので、映像表示装置からプレゼンテーションや映像表示を妨げることなく能動的に参加することができ、映像表示の自由度が向上する。
【発明を実施するための最良の形態】
【００２０】
本発明を実施するための形態について図面を参照して詳細に説明する。
【００２１】
図１は、第１の実施形態による映像配信システムの構成を示すシステム構成図である。図１を参照すると、映像配信システムは、ｍ台の映像配信端末１−１〜１−ｍと、ｎ台のプロジェクタ２−１〜２−ｎと、それらの間に介在するネットワーク９とから構成されている。映像配信端末１−１〜１−ｍは、具体的には、コンピュータやＰＤＡなどで構成される。プレゼンテーションや会議における実際の映像配信では、１台の映像配信端末１から少なくとも１台の任意のプロジェクタ２に映像が配信され、プロジェクタ２に映像が表示される。
【００２２】
本実施形態の映像配信システムでは、映像配信端末１からの映像配信の開始および終了の他に、プロジェクタ２からの映像配信への参加および離脱が可能である。参加とは、プロジェクタ２自身が映像配信端末１に要求して映像配信先となることであり、離脱とは、プロジェクタ２が要求して映像配信先でなくなることである。
【００２３】
図２は、第１の実施形態による映像配信端末１の構成を示すブロック図であり、図３は、第１の実施形態によるプロジェクタ２の構成を示すブロック図である。
【００２４】
図２を参照すると、映像配信端末１は、映像入力ユニット１０および映像配信ユニット１１を有している。映像入力ユニット１０は、映像入力部１０１および映像圧縮部１０２を有している。映像配信ユニット１１は、ユーザインタフェース部１１１、配信先検出部１１２、検出応答部１１３、配信先管理部１１４、および映像配信部１１５を有している。
【００２５】
図３を参照すると、プロジェクタ２は、映像出力ユニット２０および映像受信ユニット２１を有している。映像出力ユニット２０は、映像投射部２０１および映像展開部２０２を有している。映像受信ユニット２１は、ユーザインタフェース部２１１、検出応答部２１２、配信元検出部２１３、配信元管理部２１４、および映像受信部２１５を有している。
【００２６】
なお、ネットワーク９の伝送速度が十分に速ければデータを圧縮して伝送する必要がないので、映像配信端末１の映像圧縮部１０２とプロジェクタ２の映像展開部２０２は不要となる。
【００２７】
図２に示した映像配信端末１の映像入力部１０１は、不図示のカメラから入力される映像信号をビデオキャプチャしてフレームデータを生成し、映像圧縮部１０２に供給する。なお、ここでカメラから入力される映像信号は一例であり、これに限定されるものではない。他の例として、映像配信端末１がコンピュータであり、自身のデスクトップ画面に表示した発表資料等の表示画面をキャプチャして生成した映像信号であってもよい。
【００２８】
映像圧縮部１０２は、フレームデータを圧縮し、映像配信部１１５に供給する。
【００２９】
ユーザインタフェース部１１１は、ユーザの操作に従って映像配信の開始および終了の処理を行う。
【００３０】
配信開始の手順において、ユーザインタフェース部１１１は、配信先管理部１１４から配信先の候補となるプロジェクタ２−１〜２−ｎの情報を取得し、その情報を用いて、配信先検出部１１２に、配信先の候補の中で実際にネットワーク９上に存在するプロジェクタ２を検出させる。そして、ユーザインタフェース部１１１は、配信先検出部１１２による検出結果を操作者に提示し、配信先の決定およびパスワートの入力を促す。操作者が配信先のプロジェクタ２を選択してパスワードを入力すると、ユーザインタフェース部１１１は、選択されたプロジェクタ２の情報とパスワードを配信先管理部１１４に送って配信開始を要求する。
【００３１】
配信終了の手順において、ユーザインタフェース部１１１は、操作者の操作に従って配信先管理部１１４に配信終了を要求する。
【００３２】
配信先検出部１１２は、ネットワーク９に対してプロジェクタ検出要求を送出し、ネットワーク９上に存在するプロジェクタ２から、そのプロジェクタ２の情報を含む検出応答を受信することにより、ネットワーク９上のプロジェクタ２を検出する。
【００３３】
検出応答部１１３は、ネットワーク９から映像配信端末検出要求を受信し、自身のコンピュータ名やＩＰアドレスなどの情報を含む検出応答を返信する。
【００３４】
配信先管理部１１４は、映像配信端末１からの映像配信の開始および終了と、プロジェクタ２からの参加および離脱とにおいて、配信先の登録およびその削除を管理する。
【００３５】
配信開始の手順において、配信先管理部１１４は、ユーザインタフェース部１１１からの照会に対して配信先の候補となるプロジェクタ２の情報を返送する。また、ユーザインタフェース部１１１から配信開始要求を受け取ると、配信先管理部１１４は、それに含まれるプロジェクタの情報を配信先リストに登録し、パスワードを保存する。続けて、配信先管理部１１４は、ネットワーク９を介して配信先のプロジェクタ２の配信元管理部２１４に受信開始要求を送信し、全ての配信先の受信準備が完了するのを待って、映像配信部１１５に配信開始を指示する。
【００３６】
配信終了の手順において、配信先管理部１１４は、ユーザインタフェース部１１１から配信終了要求を受けると、映像配信部１１５に配信終了を指示した上で、ネットワーク９を介して配信先となっていた配信元管理部２１４に受信終了要求を送信し、配信先リストからすべてのプロジェクタの登録を削除する。
【００３７】
参加手順において、配信先管理部１１４は、映像配信に参加しようとするプロジェクタ２の配信元管理部２１４からネットワーク９を介して参加要求を受信すると、それに含まれるパスワードと、自身の保存しているパスワードとを照合する。パスワードが一致しなければ、配信先管理部１１４は、要求元の配信元管理部２１４に参加失敗を返信する。パスワードが一致すれば、配信先管理部１１４は、配信先リストに要求元のプロジェクタ２を登録し、映像配信部１１５に配信先追加を通知した上で、要求元の配信元管理部２１４に参加完了を返信する。
【００３８】
離脱手順において、配信先管理部１１４は、映像配信から離脱しようとするプロジェクタ２の配信元管理部２１４からネットワーク９を介して離脱要求を受信すると、映像配信部１１５に配信先削除を通知し、要求元の配信元管理部２１４に削除完了を返信した上で、配信先リストから要求元のプロジェクタ２を削除する。
【００３９】
映像配信部１１５は、配信先リストに登録されているプロジェクタ２に映像のデータを配信し、その完了を待って映像入力部１０１に次のデータを要求する。
【００４０】
図３に示したプロジェクタ２の映像展開部２０２は、映像受信部２１５にて受信された映像のデータを展開し、フレームデータとして映像投射部２０１に供給する。
【００４１】
映像投射部２０１は、映像展開部２０２からのフレームデータを映像信号に変換し、スクリーンに投射する。
【００４２】
ユーザインタフェース部２１１は、ユーザの操作に従って映像配信への参加および離脱の処理を行う。
【００４３】
参加手順において、ユーザインタフェース部２１１は、映像配信端末１の情報を配信元管理部２１４に照会して取得するとともに、ネットワーク９上に存在する映像配信端末１の情報を配信元検出部２１２に検出させて取得する。そして、それらの結果をもとに、ユーザインタフェース部２１１は、映像配信端末１の一覧を操作者に提示して、配信元となる映像配信端末１の決定とパスワードの入力を促す。操作者が配信元となる映像配信端末１を決定すると、ユーザインタフェース部２１１は、その映像配信端末１の情報とパスワードとを配信元管理部２１４に渡し、参加を要求する。また、配信元管理部２１４から参加失敗が通知されたときには、ユーザインタフェース部２１１は、操作者にエラーメッセージを提示する。
【００４４】
離脱手順においては、ユーザインタフェース部２１１は、操作者の操作に従って配信元管理部２１４に離脱を要求する。
【００４５】
検出応答部２１２は、ネットワーク９からプロジェクタ検出要求を受信し、自身のプロジェクタ名やＩＰアドレスやステータスなどの情報を含む検出応答を返信する。
【００４６】
配信元検出部２１３は、ネットワーク９に対して映像配信端末検出要求を送出し、ネットワーク９上に存在する映像配信端末１から、その映像配信端末１の情報を含む検出応答を受信する。
【００４７】
配信元管理部２１４は、映像配信端末１からの映像配信の開始および終了と、プロジェクタ２からの参加および離脱において、配信元の登録および削除を管理する。
【００４８】
配信開始手順において、配信元管理部２１４は、配信元となる映像配信端末１の配信先管理部１１４からネットワーク９を介して受信開始要求を受信すると、配信元の情報を保存した上で、映像受信部２１５に受信開始を指示し、その応答を待って、映像配信端末１の配信先管理部１１４に受信準備完了を返信する。
【００４９】
配信終了手順において、配信元管理部２１４は、配信元の配信先管理部１１４からネットワーク９を介して受信終了要求を受信すると、映像受信部２１５に受信終了を指示し、配信元の情報を削除する。
【００５０】
参加手順において、配信元管理部２１４は、ユーザインタフェース部２１１からの照会に対して、配信元の情報を返送する。また、ユーザインタフェース部２１１から参加要求を受けると、配信元管理部２１４は、それに含まれる映像配信端末の情報を配信元の情報として保存し、映像受信部２１５に受信開始を指示する。受信開始指示に対して受信準備完了の応答を映像受信部２１５から受けると、ネットワーク９を介して配信元となる映像配信端末１の配信先管理部１１４に参加要求を送信し、その応答を待つ。映像配信端末１の配信先管理部１１４から参加完了を受信すると、配信元管理部２１４は特に何もせず、参加失敗を受信すると、ユーザインタフェース部２１１に参加失敗を通知する。
【００５１】
離脱手順において、配信元管理部２１４は、ユーザインタフェース部２１１から離脱要求を受けると、ネットワーク９を介して配信元の配信先管理部１１４に離脱要求を送信し、その応答を待つ。離脱要求に対する応答として削除完了を受信すると、配信元管理部２１４は、映像受信部２１５に受信終了を指示した上で、配信元の情報を削除する。
【００５２】
映像受信部２１５は、配信元管理部２１４からの受信開始の指示に従って受信を開始し、受信準備の完了を返す。また、配信元管理部２１４から受信終了を指示されると、映像受信部２１５は受信を終了する。受信中は、映像配信端末１からネットワーク９を介して映像のデータを受信し、データが完了すると、映像配信端末１の映像配信部１１５に受信完了を返信し、受信したデータを映像展開部２０２に供給する。
【００５３】
次に、第１の実施形態による映像配信システムの動作について説明する。
【００５４】
図４は、第１の実施形態による映像配信システムにおける配信開始手順を示す図である。図４には、配信開始手順において映像配信端末１の各部およびプロジェクタ２の各部の処理ステップが示されている。
【００５５】
図４を参照すると、まず、映像配信端末１に対する操作者の操作によって配信開始手順が開始されると（ステップＡ１）、ユーザインタフェース部１１１は、配信先管理部１１４に、配信先の情報を照会する（ステップＡ２）。
【００５６】
配信先管理部１１４は、ユーザインタフェース部１１１から配信先の照会を受けると、配信先リストに登録されたプロジェクタの情報を返す（ステップＡ３）。
【００５７】
次に、ユーザインタフェース部１１１は、配信先検出部１１２に、ネットワーク９上に存在するプロジェクタ２の検出を指示する（ステップＡ４）。
【００５８】
配信先検出部１１２は、プロジェクタ２の検出を指示されると、ネットワーク９に対してプロジェクタ検出要求を送出する（ステップＡ５）。
【００５９】
ネットワーク９に存在するプロジェクタ２の検出応答部２１２は、ネットワーク９からプロジェクタ検出要求を受信すると、自身のプロジェクタ名、ＩＰアドレス、およびステータスなどから検出応答を生成し、ネットワーク９を介して要求元の配信先検出部１１２へ検出応答を返信する（ステップＡ６）。
【００６０】
配信先検出部１１２は、プロジェクタ２の検出応答部２１２からネットワーク９を介して検出応答を受信すると、それに含まれるプロジェクタの情報を、ユーザインタフェース部１１１に渡す（ステップＡ７）。
【００６１】
ユーザインタフェース部１１１は、配信先リストに登録されたプロジェクタ２の情報と、検出されたプロジェクタ２の情報とから、プロジェクタの一覧を作成して操作者に提示する（ステップＡ８）。
【００６２】
操作者は、この一覧を見て配信先のプロジェクタを選択し、パスワードを入力する。例えば、チェックボックスにチェックを付けるなどの方法が考えられる。図８は、配信開始手順において操作者に提示される画面の一例を示す図である。図８に示された画面１１１１を参照すると、プロジェクタ毎に、プロジェクタ名、ＩＰアドレス、およびステータスが対応して表示されており、選択用のチェックボックスがある。操作者は、複数のチェックボックスにチェックを付けることで複数のプロジェクタ２を選択することもできる。
【００６３】
操作者によって配信先となるプロジェクタが選択されると（ステップＡ９）、ユーザインタフェース部１１１は、配信先管理部１１４に、選択されたプロジェクタ２の情報と、パスワードとを渡し、配信開始を要求する（ステップＡ１０）。
【００６４】
配信先管理部１１４は、選択されたプロジェクタ２の情報を配信先リストに登録し、パスワードを保存した上で、ネットワーク９を介して、すべての配信先の配信元管理部２１４に、自身の情報を含む受信開始要求を送信する（ステップＡ１１）。
【００６５】
プロジェクタ２の配信元管理部２１４は、ネットワーク９を介して受信開始要求を受信すると、配信元の情報を保存した上で、映像受信部２１５に受信開始を指示する（ステップＡ１２）。
【００６６】
映像受信部２１５は、配信元管理部２１４から受信開始を指示されると、配信元である映像配信端末１の映像配信部１１５からの映像データの受信を開始し、受信準備完了を配信元管理部２１４に返送する（ステップＡ１３）。
【００６７】
配信元管理部２１４は、映像受信部２１５から受信準備完了を受けると、ネットワーク９を介して、配信元の配信先管理部１１４に、受信準備完了を返信する（ステップＡ１４）。
【００６８】
映像配信端末１の配信先管理部１１４は、すべての配信先から受信準備完了を受けると、映像配信部１１５に配信開始を指示する（ステップＡ１５）。
【００６９】
映像配信部１１５は、配信開始を指示されると、データ配信の途中であればその完了を待ち、待機中であれば直ちに、映像入力部１０１に次のデータを要求する（ステップＡ１６）。
【００７０】
映像入力部１０１は、映像配信部１１５から次のデータを要求されると、入力される映像信号をビデオキャプチャしてフレームデータを生成し、映像圧縮部１０２に供給する（ステップＡ１７）。映像圧縮部１０２は、映像入力部１０１からのフレームデータを圧縮し、映像配信部１１５に供給する（ステップＡ１８）。
【００７１】
映像配信部１１５は、映像圧縮部１０２から供給されたデータを、配信先リストに登録されたプロジェクタ２に対してネットワーク９を介して配信する（ステップＡ１９）。
【００７２】
配信先であるプロジェクタ２の映像受信部２１５は、配信元である映像配信端末１の映像配信部１１５からのデータを受信し、受信が完了すると、映像配信部１１５に受信完了を通知し（ステップＡ２０）、その受信したデータを映像展開部２０２に供給する（ステップＡ２１）。
【００７３】
映像展開部２０２は、映像受信部２１５から供給されたデータを展開し、フレームデータとして映像投射部２０１に供給する（ステップＡ２２）。映像投射部２０１は、映像展開部２０２からのフレームデータを映像信号に変換し、スクリーンに投射する。
【００７４】
配信元である映像配信端末１の映像配信部１１５は、すべての配信先からの受信完了を受けた後に映像入力部１０１に次のデータを要求し、配信を継続する。
【００７５】
以上のようにして映像の配信が開始される。
【００７６】
図５は、第１の実施形態による映像配信システムにおける配信終了手順を示す図である。図５には、配信終了手順において映像配信端末１の各部およびプロジェクタ２の各部の処理ステップが示されている。
【００７７】
図５を参照すると、まず、映像配信端末１に対する操作者の操作によって配信終了手順が開始されると（ステップＢ１）、ユーザインタフェース部１１１は、配信先管理部１１４に配信終了を要求する（ステップＢ２）。
【００７８】
ユーザインタフェース部１１１から配信終了を要求された配信先管理部１１４は、映像配信部１１５に配信終了を指示するとともに（ステップＢ３）、ネットワーク９を介して、すべての配信先であるプロジェクタ２の配信元管理部２１４に受信終了要求を送信し（ステップＢ４）、さらに配信先リストからすべてのプロジェクタ２の登録を削除する。
【００７９】
配信先であるプロジェクタ２の配信元管理部２１４は、ネットワーク９から受信終了要求を受信すると、映像受信部２１５に受信終了を指示し（ステップＢ５）、配信元の情報を削除する。
【００８０】
以上のようにして映像の配信が終了される。
【００８１】
図６は、第１の実施形態による映像配信システムにおける参加手順を示す図である。図６には、参加手順において映像配信端末１の各部およびプロジェクタ２の各部の処理ステップが示されている。
【００８２】
図６を参照すると、まず、プロジェクタ２に対する操作者の操作により参加手順が開始されると（ステップＣ１）、プロジェクタ２のユーザインタフェース部２１１は、配信元管理部２１４に、配信元の情報を照会する（ステップＣ２）。
【００８３】
配信元管理部２１４は、配信元の照会を受けると、配信元情報として保存されている映像配信端末１の情報を返す（ステップＣ３）。
【００８４】
次に、ユーザインタフェース部２１１は、配信元検出部２１３に、ネットワーク９上に存在する映像配信端末１の検出を指示する（ステップＣ４）。
【００８５】
配信元検出部２１３は、映像配信端末の検出を指示されると、ネットワーク９に対して映像配信端末検出要求を送出する（ステップＣ５）。
【００８６】
映像配信を行っている映像配信端末１の検出応答部１１３は、ネットワーク９から映像配信端末検出要求を受信すると、自身のコンンピュータ名、ＩＰアドレスなどから検出応答を生成し、ネットワーク９を介して要求元のプロジェクタ２の配信元検出部２１３へ返信する（ステップＣ６）。
【００８７】
配信元検出部２１３は、ネットワーク９を介して検出応答を受信すると、それに含まれる映像配信端末１の情報をユーザインタフェース部２１１に渡す（ステップＣ７）。
【００８８】
ユーザインタフェース部２１１は、配信元情報として保存していた映像配信端末の情報と、配信元検出部２１３で検出された映像配信端末の情報とをもとに、映像配信端末の一覧を作成し、操作者に提示する（ステップＣ８）。
【００８９】
操作者は、この一覧を見て配信元の映像配信端末１を選択し、パスワードを入力する。例えば、ラジオボタンにチェックをつけるなどの方法が考えられる。図９は、参加手順において操作者に提示される画面の一例を示す図である。図９に示された画面２１１１を参照すると、映像配信端末毎に、コンピュータ名およびＩＰアドレスが対応して表示されており、選択用のラジオボタンがある。ラジオボタンは、いずれかの映像配信端末１を排他的に選択するボタンである。操作者は、いずれか１つの映像配信端末１を選択することができる。
【００９０】
操作者によって配信元となる映像配信端末１が選択されると（ステップＣ９）、ユーザインタフェース部２１１は、配信元管理部２１４に、選択された映像配信端末１の情報と、パスワードとを渡し、参加を要求する（ステップＣ１０）。
【００９１】
配信元管理部２１４は、選択された映像配信端末１の情報を配信元の情報として保存し、映像受信部２１５に受信開始を指示する（ステップＣ１１）。
【００９２】
映像受信部２１５は、配信元管理部２１４から受信開始を指示されると、映像配信端末１の映像配信部１１５からの映像のデータの受信を開始し、受信準備完了を返す（ステップＣ１２）。
【００９３】
配信元管理部２１４は、映像受信部２１５から受信準備完了を受けると、ネットワーク９を介して配信元の配信先管理部１１４に、自身の情報とパスワードとを含む参加要求を送信する（ステップＣ１３）。
【００９４】
参加要求を受信した映像配信端末１の配信先管理部１１４は、参加要求に含まれるパスワードと、ユーザインタフェース部１１１によって予め設定されていたパスワードとを照合する。
【００９５】
ここでパスワードが一致しなけば、要求元であるプロジェクタ２の配信元管理部２１４に参加失敗を返信する（ステップＣ１４）。
【００９６】
配信元管理部２１４は、映像配信端末１からネットワーク９を介して参加失敗を受信すると、映像受信部２１５に受信終了を指示し（ステップＣ１５）、配信元の情報を削除した上で、ユーザインタフェース部２１１に参加失敗を通知する（ステップＣ１６）。
【００９７】
ユーザインタフェース部２１１は、配信元管理部２１４から参加失敗が通知されると、操作者にエラーメッセージを提示する（ステップＣ１７）。
【００９８】
一方、パスワードの照合にてパスワードが一致すれば、配信先管理部１１４は、配信先リストに、要求元のプロジェクタ２を登録し、要求元の配信元管理部２１４に参加完了を返信した上で、映像配信部１１５に配信先追加を通知する（ステップＣ１８）。
【００９９】
映像配信部１１５は、配信先管理部１１４から配信先追加を通知されると、データ配信の途中であればその完了を待ち、待機中であれば直ちに、映像入力部１０１に次のデータを要求する（ステップＣ１９）。
【０１００】
映像入力部１０１は、映像配信部１１５から次のデータを要求されると、入力される映像信号をビデオキャプチャしてフレームデータを生成し、映像圧縮部１０２に供給する（ステップＣ２０）。
【０１０１】
映像圧縮部１０２は、映像入力部１０１からのフレームデータを圧縮し、映像配信部１１５に供給する（ステップＣ２１）。
【０１０２】
映像配信部１１５は、映像圧縮部１０２から供給されたデータを、配信先リストに登録されたプロジェクタ２に対してネットワーク９を介して配信する（ステップＣ２２）。
【０１０３】
配信先であるプロジェクタ２の映像受信部２１５は、配信元である映像配信端末１の映像配信部１１５からのデータを受信し、それが完了すると、映像配信部１１５に受信完了を通知し（ステップＣ２３）、その受信したデータを映像展開部２０２に供給する（ステップＣ２４）。
【０１０４】
映像展開部２０２は、映像受信部２１５から供給されたデータを展開し、フレームデータとして映像投射部２０１に供給する（ステップＣ２５）。映像投射部２０１は、映像展開部２０２からのフレームデータを映像信号に変換し、スクリーンに投射する。
【０１０５】
配信元である映像配信端末１の映像配信部１１５は、すべての配信先からの受信完了を受けた後に映像入力部１０１に次のデータを要求し、配信を継続する。
【０１０６】
以上のようにして映像配信への参加が行われる。
【０１０７】
図７は、第１の実施形態による映像配信システムにおける離脱手順を示す図である。図７には、離脱手順において映像配信端末１の各部およびプロジェクタ２の各部の処理ステップが示されている。
【０１０８】
図７を参照すると、まず、プロジェクタ２に対する操作者の操作により離脱手順が開始されると（ステップＤ１）、プロジェクタ２のユーザインタフェース部２１１は、配信元管理部２１４に離脱を要求する（ステップＤ２）。
【０１０９】
離脱要求を受けた配信元管理部２１４は、ネットワーク９を介して、配信元である映像配信端末１の配信先管理部１１４に離脱要求を送信する（ステップＤ３）。
【０１１０】
映像配信端末１の配信先管理部１１４は、ネットワーク９から離脱要求を受信すると、映像配信部１１５に配信先削除を通知するとともに（ステップＤ４）、要求元であるプロジェクタ２の配信元管理部２１４にネットワーク９を介して離脱完了を返信し（ステップＤ５）、さらに配信先リストから要求元のプロジェクタを削除する。
【０１１１】
プロジェクタ２の配信元管理部２１４は、ネットワーク９から離脱完了を受信すると、映像受信部２１５に受信終了を指示し（ステップＤ６）、配信元の情報を削除する。
【０１１２】
以上のようにして映像配信からの離脱が行われる。
【０１１３】
本実施形態の映像配信システムは、プロジェクタ２からの要求による映像配信への参加および離脱の手順を備えているので、プロジェクタ２側からプレゼンテーションや映像表示を妨げることなく能動的に参加および離脱ができ、プロジェクタ２の追加や削除の自由度が向上する。
【０１１４】
また、本実施形態によれば、プロジェクタ２がネットワーク９上に存在する映像配信端末１を検出し、その中から映像の配信を受ける映像配信端末１を決定するので、プロジェクタ２の操作者は容易に映像配信端末１を決定することができる。
【０１１５】
また、本実施形態によれば、プロジェクタ２がネットワーク９上に存在する映像配信端末１を操作者に提示するので、操作者はさらに容易に映像配信端末１を決定することができる。
【０１１６】
また、本実施形態によれば、プロジェクタ２にて操作者にパスワードを入力させ、映像配信端末１にてそのパスワードの照合を行い、一致した場合のみそのプロジェクタ２にデータを配信するので、第三者がプロジェクタ２を操作して映像配信端末１からの映像を不正に表示させるのを防止することができる。
【０１１７】
また、本実施形態によれば、プロジェクタ２からの要求により映像配信から離脱することができるので、プロジェクタ２側からプレゼンテーションや映像表示を妨げることなく能動的に離脱ができ、映像表示の自由度が向上する。
【０１１８】
本発明の第２の実施形態について説明する。
【０１１９】
第２の実施形態では、映像配信端末１の構成が第１の実施形態と異なり、映像配信システムおよびプロジェクタ２の構成は第１の実施形態と同様である。
【０１２０】
図１０は、第２の実施形態による映像配信端末１の構成を示すブロック図である。図１０を参照すると、映像配信端末１′は、映像入力ユニット１２および映像配信ユニット１３を有している。映像入力ユニット１２は、映像入力部１２１、差分抽出部１２２、および映像圧縮部１０２を有している。映像配信ユニット１３は、ユーザインタフェース部１１１、配信先検出部１１２、検出応答部１１３、配信先管理部１１４、および映像配信部１３５を有している。映像圧縮部１０２、ユーザインタフェース部１１１、配信先検出部１１２、検出応答部１１３、および配信先管理部１１４は第１の実施形態と同様のものである。
【０１２１】
映像入力部１２１は、第１の実施形態と同様に、不図示のカメラから入力される映像信号をビデオキャプチャしてフレームデータを生成し、差分抽出部１２２に供給する。なお、ここでカメラから入力される映像信号は一例であり、これに限定されるものではない。他の例として、映像配信端末１がコンピュータであり、自身のデスクトップ画面に表示した発表資料等の表示画面をキャプチャして生成した映像信号であってもよい。
【０１２２】
それに加えて、映像入力部１２１は、映像配信部１３５から、配信先追加の通知とともに次のデータを要求されると、差分抽出部１２２へのフレームデータの供給時に、そのフレームデータの差分抽出をスキップするように指示する。
【０１２３】
差分抽出部１２２は、キーフレームとして保持された直前のフレームデータと、現在のフレームデータとの差分を抽出し、その差分データを映像圧縮部１０２に供給する。ただし、映像入力部１２１から差分抽出のスキップを指示されたときには、差分抽出部１２２は、キーフレームを更新するだけで差分抽出を行わず、現在のフレームデータを映像圧縮部１０２に供給する。
【０１２４】
映像配信部１３５は、第１の実施形態と同様に、配信先リストに登録されているプロジェクタ２に、映像圧縮部１０２から供給されるデータを配信し、その完了を待って映像入力部１２１に次のデータを要求する。それに加えて、参加手順において、映像配信部１３５は、映像入力部１２１に次のデータを要求するとき、それとともに配信先追加を通知する。
【０１２５】
次に、第２の実施形態による映像配信システムの動作について説明する。
【０１２６】
第２の実施形態の映像配信システムは参加手順の一部のみが第１の実施形態と異なる。
【０１２７】
図１１は、第２の映像配信システムにおける参加手順を示す図である。図１１には、参加手順において映像配信端末１′の各部およびプロジェクタ２の各部の処理ステップが示されている。ステップＣ１〜Ｃ１８は第１の実施形態と同様の動作である。
【０１２８】
ステップＣ１８にて配信先管理部１１４から配信先追加を通知された映像配信部１３５は、配信の途中であればその完了を待ち、待機中であれば直ちに、映像入力部１２１に、配信先追加の通知とともに次のデータを要求する（ステップＣ１９’）。
【０１２９】
映像入力部１２１は、映像配信部１３５から配信先追加の通知とともに次のデータを要求されると、差分抽出部１２２に、差分抽出スキップの指示を含むフレームデータを供給する（ステップＣ２０−１）。
【０１３０】
差分抽出部１２２は、差分抽出スキップの指示を含むフレームデータを受けると、キーフレームを更新するだけで差分抽出を行わず、フレームデータをそのまま映像圧縮部１０２に供給する（ステップＣ２０−２）。
【０１３１】
その場合、映像圧縮部１０２は、映像入力部１２１からの、差分抽出されていないフレームデータを圧縮して映像配信部１１５に供給することとなる（ステップＣ２１）。
【０１３２】
したがって、第２の実施形態の映像配信システムによれば、プロジェクタ２からの参加要求により配信先を追加するとき、映像配信端末１は、差分抽出を行っていないフレームデータを配信するので、新たに参加したプロジェクタ２も元から映像配信を受けていたプロジェクタ２と同様にフルサイズの映像を投射することができる。
【図面の簡単な説明】
【０１３３】
【図１】第１の実施形態による映像配信システムの構成を示すシステム構成図である。
【図２】第１の実施形態による映像配信端末１の構成を示すブロック図である。
【図３】第１の実施形態によるプロジェクタ２の構成を示すブロック図である。
【図４】第１の実施形態による映像配信システムにおける配信開始手順を示す図である。
【図５】第１の実施形態による映像配信システムにおける配信終了手順を示す図である。
【図６】第１の実施形態による映像配信システムにおける参加手順を示す図である。
【図７】第１の実施形態による映像配信システムにおける離脱手順を示す図である。
【図８】配信開始手順において操作者に提示される画面の一例を示す図である。
【図９】参加手順において操作者に提示される画面の一例を示す図である。
【図１０】第２の実施形態による映像配信端末１の構成を示すブロック図である。
【図１１】第２の映像配信システムにおける参加手順を示す図である。
【符号の説明】
【０１３４】
１、１′、１−１〜１−ｍ    映像配信端末
１０、１２    映像入力ユニット
１０１、１２１    映像入力部
１０２    映像圧縮部
１２２    差分抽出部
１１、１３    映像配信ユニット
１１１    ユーザインタフェース部
１１２    配信先検出部
１１３    検出応答部
１１４    配信先管理部
１１５、１３５    映像配信部
２、２−１〜２−ｎ    プロジェクタ
２０    映像出力ユニット
２０１    映像投射部
２０２    映像展開部
２１    映像受信ユニット
２１１    ユーザインタフェース部
２１２    検出応答部
２１３    配信元検出部
２１４    配信元管理部
２１５    映像受信部
９    ネットワーク
１１１１、２１１１    画面
Ａ１〜Ａ２２、Ｂ１〜Ｂ５、Ｃ１〜Ｃ２５、Ｃ１９′、Ｃ２０−１、Ｃ２０−２、Ｄ１〜Ｄ６    ステップ
【図１】
2007036965.tif 000003
【図２】
2007036965.tif 000004
【図３】
2007036965.tif 000005
【図４】
2007036965.tif 000006
【図５】
2007036965.tif 000007
【図６】
2007036965.tif 000008
【図７】
2007036965.tif 000009
【図８】
2007036965.tif 000010
【図９】
2007036965.tif 000011
【図１０】
2007036965.tif 000012
【図１１】
2007036965.tif 000013